(57)【要約】【課題】低コストで、ドレン蒸発性能のよい物品貯蔵装置を提供する。【解決手段】蒸発器のドレン皿から流入したドレン水を蒸発させる蒸発皿１４を有し、蒸発皿１４のスペース１４ｃにおいて圧縮機の高圧管１１ａが上から蒸発皿１４の底面と略接触するように引き回され、高圧管１１ａが底面と略接触しているスペース１４ｃよりもドレン水の流入部から離れたスペース１４ｄに蒸発皿１４内のドレン水を蒸発させる蒸発紙１４ｂが設けられ、蒸発紙１４ｂが設けられたスペース１４ｄには、高圧管１１ａが底面と略接触しているスペース１４ｃの水位が、スペース１４ｃの蒸発皿１４の底面と略接触する高圧管１１ａの配置空間の高さ以上の所定水位を超えることにより、スペース１４ｃからスペース１４ｄに流入するドレン水のみ流入するように構成したので、蒸発紙１４ｂに浸漬するドレン水は、一旦水温が上昇した状態で蒸発紙１４ｂに吸水され、蒸発しやすい。【選択図】図３
2012149841.tif 000002
【特許請求の範囲】
【請求項１】
蒸発器のドレン皿から流入したドレン水を蒸発させる蒸発皿を有し、圧縮機の吐出側である高圧管が上から前記蒸発皿の底面と略接触するように引き回され、前記高圧管が前記蒸発皿の底面と略接触している箇所よりも前記ドレン水の流入部から離れた箇所に前記蒸発皿内のドレン水を蒸発させる蒸発紙が設けられ、前記蒸発紙が設けられた箇所には、前記高圧管が前記蒸発皿の底面と略接触している箇所の前記蒸発皿の水位が、前記蒸発皿の底面と略接触するように引き回されている前記高圧管の配置空間の高さ以上の所定水位を超えることにより、前記高圧管が前記蒸発皿の底面と略接触している箇所から前記蒸発紙が設けられた箇所に流入するドレン水のみ流入するように構成した物品貯蔵装置。
【請求項２】
前記蒸発皿は、前記蒸発紙が配置されているスペースの底面が、前記高圧管が前記蒸発皿の底面と略接触しているスペースの底面よりも、前記蒸発皿の底面と略接触するように引き回されている前記高圧管の配置空間の高さ以上高い２段構造になっている請求項１に記載の物品貯蔵装置。
【請求項３】
前記蒸発皿を、前記蒸発皿の底面と略接触するように引き回されている前記高圧管の配置空間の高さ以上の高さの仕切り板で、前記蒸発皿の底面と略接触する前記高圧管が配置された第一蒸発室と、前記蒸発紙を配置する第二蒸発室とに仕切った請求項１に記載の物品貯蔵装置。
【請求項４】
凝縮器用の送風機からの送風が前記蒸発皿および前記蒸発紙からのドレン水の気化を促進するように配置し、蒸発器の除霜時に前記送風機の運転を所定時間継続させる請求項１から３のいずれか１項に記載の物品貯蔵装置。
【発明の詳細な説明】
【技術分野】
【０００１】
本発明は、米穀類、野菜等の農産物、あるいは食品等の如く所定の範囲の温度で貯蔵（保存）を要する物品の貯蔵装置に関するものである。
【背景技術】
【０００２】
従来、この種の貯蔵装置として、農産物を対象とした低温貯蔵庫が知られている（例えば特許文献１参照）。
【０００３】
以下、図面を参考にしながら特許文献１に開示された従来の低温貯蔵庫について説明する。
【０００４】
図６は、特許文献１に開示された従来の低温貯蔵庫の斜視図である。図７は、同従来の低温貯蔵庫の冷却ユニットの内部構成を示す横断面図である。
【０００５】
図６に示すように従来の農産物用の低温貯蔵庫に用いる貯蔵庫１０１は、天上部に冷却ユニット１０２を配置し、前面上部に運転内容等の設定を行う操作器１０３が設けられ、また、前面には、扉１０４が開閉可能に設けられている。
【０００６】
冷却ユニット１０２は、前述の如く、前面に扉１０４を有した断熱性の高い貯蔵庫１０１の天井面に載せられ、落下、転倒しないようにボルトなどで固定されている。さらに、冷却ユニット１０２を覆い隠すように外装パネル１０５が設けられている。
【０００７】
また、冷却ユニット１０２は、貯蔵庫１０１の天井面の開口（図示せず）にあわせて冷却ユニット１０２の冷却側が接続されており、また、冷却ユニット１０２の冷却側から出された冷気の循環が適切になるように、貯蔵庫１０１の略中央部に位置するよう設置されている。
【０００８】
さらに、貯蔵庫１０１の貯蔵室内には、冷却ユニット１０２から下方に吹き出された冷気を、水平方向に循環するように規制するダクト（図示せず）を設けており、庫内の温度分布ムラがでないような配慮がなされている。
【０００９】
一方、農産物用の低温貯蔵庫は、通常２℃から１５℃程度の範囲で貯蔵物により最適な温度になるように温度調節できる機能を有しており、温度設定をする際には、冷却ユニット１０２に配置された温度設定器（図示せず）で適温に設定するか、もしくは、貯蔵庫１０１の扉１０４に配置された温度設定器（図示せず）にて設定することが一般的である。
【００１０】
この操作部（操作器１０３）の配置については、図６に示す如く貯蔵室の天面に配置された冷却ユニット１０２（またはその一部）を覆い隠すように扉面と同一面上にパネル１０５を別に設け、そのパネル１０５部分に操作器１０３を配置するタイプ以外に、操作器１０３を直接貯蔵庫扉面に埋め込み配置し、操作器１０３と冷却ユニット１０２の接続配線を、扉１０４のパネル断熱材の内部を通した後に天井面で接続しているもの等がある。
【００１１】
また、貯蔵室の扉１０４周りの結露を防止するために、通常、貯蔵室側の扉１０４のガスケット面と接触する部分に結露防止用ヒーター（図示せず）を埋め込み配置しているが、その結露防止用ヒーターの電源は、冷却ユニット１０２から供給していることが多く、そのため、その配線接続を、貯蔵室天面で冷却ユニット１０２と接続し、かつ接続コードは充電部の露出防止や、ねずみかじり防止の観点から別途金属カバー等で保護している。
【００１２】
次に、図７により、貯蔵庫１０１の冷却ユニット１０２の内部構成について簡単に説明する。
【００１３】
図７に示すように、冷却ユニット１０２の内部は、断熱体１１１によって断熱構成とされた冷却室１１２と、断熱体１１１によって冷却室１１２と区画された機械室１１３が形成されている。
【００１４】
冷却室１１２には、冷却器１１４、冷却器用送風機１１５、および冷却器１１４を挟んで同一底面に位置する冷気吸込口１１６と冷気吹出し口１１７が設けられている。また、機械室１１３には、圧縮機１１９、放熱器１２０、放熱器用送風機１２１が設けられている。
【００１５】
冷却ユニット１０２の冷却器１１４の下部には、ドレン皿１２２が配設され、さらにドレン皿１２２には、機械室１１３の蒸発皿１２３へドレン水を排水する通水管１２４を設けている。さらに、蒸発皿１２３には、通水管１２４から流入したドレン水に対し、熱伝達可能に冷媒回路の圧縮機１１９の吐出側の冷媒配管１１９ａと蒸発促進用の蒸発紙１２５が配置されている。
【００１６】
以上のように構成された従来の農産物用の低温貯蔵庫について、以下その動作について説明する。
【００１７】
貯蔵庫１０１の内部は、冷却ユニット１０２の冷却器１１４により冷却された冷気を、冷気吹出し口１１７から導入することで冷却される。この冷却時において、貯蔵室内の空気中の水分が冷却器１１４の表面で凝縮してドレン水となり、ドレン皿１２２上に滴下する。
【００１８】
また、運転時間の経過と共に冷却器１１４の表面に水分が結露し、霜となって徐々に蓄積する。冷却器１１４に付着した霜が多くなると、適当な時期に除霜運転が行われる。この時も、冷却器１１４の表面に付着していた霜が解けてドレン皿１２２上に滴下する。
【００１９】
ドレン皿１２２上に滴下したドレン水は、通水管１２４を経て蒸発皿１２３に流入する。そして、蒸発皿１２３に流入したドレン水は、放熱器１２０で暖められた排熱と、圧縮機１１９の吐出側の冷媒配管１１９ａを流通する高温冷媒の熱と、蒸発紙１２５の作用により蒸発する。
【先行技術文献】
【特許文献】
【００２０】
【特許文献１】特開２００３−３５４８２号公報
【発明の概要】
【発明が解決しようとする課題】
【００２１】
しかしながら、上記従来のような低温貯蔵庫の構成では、蒸発皿１２３に配置された圧縮機１１９の吐出側の冷媒配管１１９ａの熱を効率よくするために、圧縮機１１９の吐出側の冷媒配管１１９ａと蒸発皿１２３との密着にコストがかかるという欠点があった。
【００２２】
また、上記以外に、冷媒配管１１９ａを蒸発皿１２３の底面に干渉しないよう隙間を設けて配置する方法もあるが、冷媒配管１１９ａの位置する高さまで水位が上昇しないと冷媒配管１１９ａの熱を利用できなく、ドレン水の蒸発性能が劣ってしまうという欠点があった。
【００２３】
また、蒸発紙１２５による蒸発促進では、蒸発紙１２５を蒸発皿１２３の底面に密着させて配置すると、常時ドレン水が介在した状態となり、長期間の使用で蒸発紙１２５にカビ等が発生し、蒸発性能が劣ってしまうという欠点があった。
【００２４】
さらに詳述すると、ドレン皿１２２から流れ出た低温のドレン水が蒸発皿１２３にたまる際、冷媒配管１１９ａの熱を利用できないと、蒸発皿１２３裏面に結露が発生し、最悪の場合貯蔵庫１０１の天面に結露水がたまるという課題があった。
【００２５】
本発明は、上記従来の課題を解決するもので、低コストで、ドレン水の蒸発性能のよい物品貯蔵装置を提供することを目的とするものである。
【課題を解決するための手段】
【００２６】
上記目的を達成するために、本発明の物品貯蔵装置は、蒸発皿における蒸発紙が設けられた箇所には、圧縮機の吐出側の高圧管が底面と略接触している箇所の前記蒸発皿の水位が、前記蒸発皿の底面と略接触するように引き回されている前記高圧管の配置空間の高さ以上の所定水位を超えることにより、前記高圧管が前記蒸発皿の底面と略接触している箇所から前記蒸発紙が設けられた箇所に流入するドレン水のみ流入するように構成したのである。
【００２７】
これにより、低コストで、ドレン蒸発性能効率のよい物品貯蔵装置を提供することができる。
【発明の効果】
【００２８】
本発明の物品貯蔵装置は、ドレン水の蒸発に際し、低コストで効率よくドレン水を蒸発させることができる。
【図面の簡単な説明】
【００２９】
【図１】本発明の実施の形態１における物品貯蔵装置の扉体の一部を切欠いた斜視図
【図２】同実施の形態における物品貯蔵装置の冷却ユニットの内部構造を示す横断面図
【図３】同実施の形態の物品貯蔵装置における蒸発皿の構成を示す斜視図
【図４】本発明の実施の形態２における物品貯蔵装置における蒸発皿の構成を示す斜視図
【図５】本発明の実施の形態３における物品貯蔵装置における蒸発皿の構成を示す斜視図
【図６】従来の低温貯蔵庫の斜視図
【図７】同従来の低温貯蔵庫の冷却ユニットの内部構造を示す横断面図
【発明を実施するための形態】
【００３０】
第１の発明は、ドレン皿から流入したドレン水を蒸発させる蒸発皿を有し、圧縮機の吐出側である高圧管が上から前記蒸発皿の底面と略接触するように引き回され、前記高圧管が前記蒸発皿の底面と略接触している箇所よりも前記ドレン水の流入部から離れた箇所に前記蒸発皿内のドレン水を蒸発させる蒸発紙が設けられ、前記蒸発紙が設けられた箇所には、前記高圧管が前記蒸発皿の底面と略接触している箇所の前記蒸発皿の水位が、前記蒸発皿の底面と略接触するように引き回されている前記高圧管の配置空間の高さ以上の所定水位を超えることにより、前記高圧管が前記蒸発皿の底面と略接触している箇所から前記蒸発紙が設けられた箇所に流入するドレン水のみ流入するように構成した物品貯蔵装置である。
【００３１】
上記構成により、蒸発紙が設けられた箇所に流入するドレン水は、高圧管との熱交換で暖められた後のドレン水となり、蒸発紙に浸漬するドレン水は、予め、高圧管の高熱により暖められて蒸発しやすい状態になっている。
【００３２】
蒸発紙に浸漬するドレン水は、圧縮機の高圧管の高熱により一旦水温が上昇した状態で蒸発紙に吸水されるため、蒸発しやすい。
【００３３】
また、蒸発紙がドレン水で濡れていない状態がおこりやすく、蒸発紙にカビなどが発生するのを抑えることができる。
【００３４】
したがって、低コストで効率よくドレン水を蒸発させることができる。また、圧縮機の高圧管による熱で蒸発皿のドレン水の温度が上昇するため、蒸発皿の裏面等への結露の発生を抑えることができる。
【００３５】
第２の発明は、特に第１の発明において、前記蒸発皿は、前記蒸発紙が配置されているスペースの底面が、前記高圧管が前記蒸発皿の底面と略接触しているスペースの底面よりも、前記蒸発皿の底面と略接触するように引き回されている前記高圧管の配置空間の高さ以上高い２段構造になっているものである。
【００３６】
上記構成により、蒸発紙が配置されているスペースには、高圧管が蒸発皿の底面と略接触しているスペースの蒸発皿の水位が、所定水位を超えることにより、高圧管が蒸発皿の底面と略接触しているスペースから蒸発紙が配置されているスペースに流入するドレン水のみ流入するようにできる。
【００３７】
また、蒸発紙が配置されているスペースの水位は、高圧管が蒸発皿の底面と略接触しているスペースの水位に連動し、高圧管が蒸発皿の底面と略接触しているスペースの水位が、所定水位より下がれば、蒸発紙が配置されているスペースのドレン水がなくなり、蒸発紙がドレン水で濡れていない状態がおこりやすく、蒸発紙にカビなどが発生するのを抑えることができる。
【００３８】
第３の発明は、特に第１の発明において、前記蒸発皿を、前記蒸発皿の底面と略接触するように引き回されている前記高圧管の配置空間の高さ以上の高さの仕切り板で、前記蒸発皿の底面と略接触する前記高圧管が配置された第一蒸発室と、前記蒸発紙を配置する第二蒸発室とに仕切ったものである。
【００３９】
上記構成により、蒸発紙を配置する第二蒸発室には、高圧管が配置された第一蒸発室の蒸発皿の水位が、所定水位を超えることにより、第一蒸発室から第二蒸発室に流入するドレン水のみ流入するようにできる。
【００４０】
また、第一蒸発室と第二蒸発室の底面位置を同一したままで、仕切り板を設けるだけで済み、蒸発皿の一部を上げ底にしない分だけ、蒸発皿のドレン水の保有水量を、第２の発明よりも増やすことができ、貯蔵室内に野菜等の水分を多く含んだものが収納され、ドレン水が多量に蒸発皿へ流入した場合でも、ドレン水の保有水量に余裕があるため、ドレンホースを必要とせず冷却ユニット内部でドレン水を蒸発することができる。
【００４１】
第４の発明は、特に第１から第３の発明において、凝縮器用の送風機からの送風が前記蒸発皿および前記蒸発紙からのドレン水の気化を促進するように配置し、蒸発器の除霜時に前記送風機の運転を所定時間継続させるものであり、最もドレン水の流入しやすい除霜運転中に、凝縮器用送風機の送風で蒸発促進をすることができる。
【００４２】
以下、本発明の物品貯蔵装置の実施の形態について図面を参照しながら説明する。なお、この実施の形態によって本発明が限定されるものではない。
【００４３】
（実施の形態１）
図１は、本発明の実施の形態１における物品貯蔵装置の扉体の一部を切欠いた斜視図である。図２は、同実施の形態の物品貯蔵装置に搭載する冷却ユニットの内部構造を示す横断面図である。図３は、同実施の形態の物品貯蔵装置における蒸発皿の構成を示す斜視図である。
【００４４】
なお、本実施の形態において、物品貯蔵装置を、穀物、野菜等の貯蔵用とする農産物低温貯蔵庫（以下、貯蔵庫と称す）を例に説明する。
【００４５】
まず、図１により、貯蔵庫の構成について説明する。図１に示すように、本実施の形態の物品貯蔵装置である貯蔵庫１は、貯蔵庫１本体となる前面を開口した断熱箱体で構成される穀物等の物品（図示せず）を収納する貯蔵室２と、貯蔵室２の前面（正面）の開口を開閉する扉体３より構成されている。
【００４６】
また、貯蔵室２の開口周縁には、結露防止のための防露ヒーター２３が配置されている。さらに、貯蔵室２の天井面には、貯蔵室２内を冷却する冷却ユニット５が搭載されている。
【００４７】
次に、図２により、冷却ユニット５について説明する。図２に示すように、冷却ユニット５の長方形の本体７は、向かって右側に断熱体１０によって囲まれた冷却室９が配置され、向かって左側に機械室８が配置されている。
【００４８】
そして、前面に空気の流入口８ａ、背面に空気の流出口８ｂが形成された機械室８には、左奥に配置された圧縮機１１と、流入口８ａに近接して流入口８ａに平行に配置された凝縮器１２と、凝縮器１２に送風するために凝縮器１２の背面に横に２つ配置され圧縮機１１にも送風する凝縮器１２用の送風機１３と、凝縮器１２用の送風機１３より後方で圧縮機１１と冷却室９との間の送風機１３の送風経路に配置され冷却室９で発生し機械室８に導かれた結露水（ドレン水）を蒸発させるための蒸発皿１４を有する。
【００４９】
さらに、蒸発皿１４には、蒸発皿１４と熱交換できるように圧縮機１１の吐出側である高圧管１１ａが上から蒸発皿１４の底面と接触するように引き回されており、蒸発皿１４に溜まった結露水（ドレン水）は、この高圧管１１ａの熱によって加熱され、また、送風機１３が運転されていれば、送風機１３からの送風による気化促進を受けながら蒸発する。また、蒸発皿１４における送風機１３からの送風と圧縮機１１の熱と圧縮機１１を冷却後の送風を受けやすい箇所には、蒸発皿１４内の結露水（ドレン水）と接触して毛細管現象で吸い上げる蒸発紙１４ｂが設けられており、送風機１３からの送風と圧縮機１１の熱と圧縮機１１を冷却後の送風による気化促進作用により蒸発性能を高めている。
【００５０】
さらに、断熱体１０によって囲まれた冷却室９の底面には、貯蔵室２の天井面より貯蔵室２内に前後方向に長く開口した吸込み口１８と吹出し口１９が、右側に吸込み口１８、左側に吹出し口１９となるように左右に間隔をあけて設けられている。
【００５１】
また、冷却室９内には、吸込み口１８と吹出し口１９の間の位置に前後方向に平行に配置された蒸発器１５と、蒸発器１５に貯蔵室２内の空気が流通するように蒸発器１５の左側の面に横に２つ配置された蒸発器１５用の送風機１６と、蒸発器１５の下で蒸発器１５に結露した結露水（ドレン水）を受けるドレン皿１７を有する。
【００５２】
そして、圧縮機１１、凝縮器１２、減圧手段（図示せず）、蒸発器１５が順次環状に冷媒管で接続されて冷凍サイクルを構成している。
【００５３】
また、冷却室９のドレン皿１７に溜まった蒸発器１５の結露水（ドレン水）を、断熱体１０を貫通して蒸発皿１４へ導くドレン管路２０が設けられている。
【００５４】
さらに、蒸発皿１４の所定水位の位置には、蒸発皿１４に溜まった結露水（ドレン水）の水位が所定水位を超えないように、その所定水位を超える分の結露水（ドレン水）を冷却ユニット５の外部に導く溢水管１４ａが設けられている。この溢水管１４ａは、冷却ユニット５から延出しており、野菜などの収納でドレン水が多量にでる場合に、ドレンホースを接続することにより、万が一蒸発皿１４でのドレン蒸発が間に合わなくなり貯蔵室２の天井面に結露水（ドレン水）が溢れでないように配慮されている。
【００５５】
次に、以上のように構成された本実施の形態の貯蔵庫１の冷却貯蔵を行う動作について説明する。
【００５６】
圧縮機１１、凝縮器１２用の送風機１３および蒸発器１５用の送風機１６を運転することにより、冷凍サイクルが形成され、凝縮器１２では、図２の矢印Ｘで示す如く気流効果を得ながら放熱作用が行われ、蒸発器１５側では、矢印Ｙで示す如く気流を得ながら冷却（吸熱）作用が行われる。
【００５７】
したがって、貯蔵室２内では、冷却ユニット５の吸込み口１８から吸込まれ、蒸発器１５を通過した冷気が吹出し口１９から貯蔵室２内へ供給される空気の循環によって冷却が行われる。これによって、貯蔵室２内に収納した穀物等の貯蔵物品を貯蔵することができる。
【００５８】
また、貯蔵室２内は、貯蔵庫１の前面の扉体３に配置された操作部２１で設定した温度に維持されるように制御装置（図示せず）が圧縮機１１等の運転を制御することにより、所定の温度範囲に維持される。
【００５９】
かかる冷却運転に伴い、蒸発器１５に結露が生じ、蒸発器１５の結露水（ドレン水）は、蒸発器１５の下方に配置されたドレン皿１７へ滴下する。そしてドレン皿１７に溜まる結露水（ドレン水）の量が増加すると、ドレン皿１７内の結露水（ドレン水）は、ドレン管路２０を通って機械室８に設けた蒸発皿１４へ流れる。
【００６０】
一方、上述の冷却運転の長時間にわたる連続運転が行われると、蒸発器１５の結露水が霜となり、この霜が成長して蒸発器１５の冷却作用を阻害することから、制御装置によって蒸発器１５に付着した霜を排除する、所謂除霜運転が行われる。
【００６１】
かかる除霜運転が行われると、ドレン皿１７には、短時間で霜から溶融した水が多量に滴下し、ドレン管路２０を通って蒸発皿１４へ流れる。
【００６２】
ここで、図３により、蒸発皿１４の構成について説明する。まず、蒸発皿１４は、圧縮機１１の高圧管１１ａが上から蒸発皿１４の底面と接触するように引き回されている冷却室９側のスペース１４ｃと、蒸発紙１４ｂが配置されている圧縮機１１側のスペース１４ｄに分かれており、蒸発皿１４の底面と接触するように引き回されている高圧管１１ａの配置空間の高さ以上、スペース１４ｃ底面よりスペース１４ｄの底面の位置が高い２段構造になっている。
【００６３】
そのため、スペース１４ｄの結露水（ドレン水）は、スペース１４ｃで高圧管１１ａと
の熱交換で暖められた後の結露水（ドレン水）となり、蒸発紙１４ｂに浸漬する結露水（ドレン水）は、予め、高圧管１１ａの高熱により暖められて蒸発しやすい状態になっている。
【００６４】
次に、結露水（ドレン水）の蒸発作用について説明する。ドレン管路２０を通って蒸発皿１４に流れてきた結露水（ドレン水）は、一旦、圧縮機１１の高圧管１１ａが引き回されているスペース１４ｃに貯留され、結露水（ドレン水）は、この高圧管１１ａの熱によって蒸発される。このとき、送風機１３による気流によってもその気化作用が促進され、結露水は、溢水管１４ａから流れ出ることなく蒸発する。
【００６５】
また、蒸発皿１４のスペース１４ｃに、スペース１４ｄの底面位置の水位以上にドレン水が溜まった場合には、蒸発皿１４のスペース１４ｄに配置した蒸発紙１４ｂの作用により蒸発する。蒸発紙１４ｂに浸漬する結露水（ドレン水）は、圧縮機１１の高圧管１１ａの高熱により一旦水温が上昇した状態で蒸発紙１４ｂに吸水されるため、蒸発しやすい。
【００６６】
本実施の形態の物品貯蔵装置は、蒸発器１５のドレン皿１７から流入したドレン水を蒸発させる蒸発皿１４を有し、蒸発皿１４のスペース１４ｃにおいて圧縮機１１の高圧管１１ａが上から蒸発皿１４の底面と略接触するように引き回され、高圧管１１ａが底面と略接触しているスペース１４ｃよりもドレン水の流入部から離れたスペース１４ｄに蒸発皿１４内のドレン水を蒸発させる蒸発紙１４ｂが設けられ、蒸発紙１４ｂが設けられたスペース１４ｄには、高圧管１１ａが底面と略接触しているスペース１４ｃの水位が、スペース１４ｃの蒸発皿１４の底面と略接触する高圧管１１ａの配置空間の高さ以上の所定水位を超えることにより、スペース１４ｃからスペース１４ｄに流入するドレン水のみ流入するように構成したので、蒸発紙１４ｂに浸漬するドレン水は、一旦水温が上昇した状態で蒸発紙１４ｂに吸水されるため、蒸発しやすい。
【００６７】
また、穀物などの比較的、結露水（ドレン水）が生成しにくいものが収納されている場合には、蒸発皿１４のスペース１４ｃ内の高圧管１１ａの作用だけで十分であり、蒸発紙１４ｂがドレン水で濡れることはなく、長期使用でカビなどが発生するのを抑えることができる。
【００６８】
また、蒸発紙１４ｂが配置されているスペース１４ｄの水位は、圧縮機１１の高圧管１１ａが蒸発皿１４の底面と略接触しているスペース１４ｃの水位に連動し、高圧管１１ａが蒸発皿１４の底面と略接触しているスペース１４ｃの水位が、所定水位より下がれば、蒸発紙１４ｂが配置されているスペース１４ｄのドレン水がなくなり、蒸発紙１４ｂがドレン水で濡れていない状態がおこりやすく、蒸発紙１４ｂにカビなどが発生するのを抑えることができる。
【００６９】
また、圧縮機１１の高圧管１１ａによる熱で蒸発皿１４のスペース１４ｃ内の結露水（ドレン水）の温度が上昇するため、蒸発皿１４の裏面等に結露が発生する心配もない。
【００７０】
（実施の形態２）
図４は、本発明の実施の形態２における物品貯蔵装置の蒸発皿の構成を示す斜視図である。本実施の形態は、実施の形態１と蒸発皿１４の構成が異なるだけであり、本実施の形態において実施の形態１と同一構成については同一符号を付して、その詳細な説明は省略する。
【００７１】
図４に示すように、本実施の形態では、圧縮機１１の高圧管１１ａが上から蒸発皿１４の底面と接触するように引き回されている箇所と蒸発紙１４ｂが配置されている箇所との間の蒸発皿１４の底面に所定高さ（蒸発皿１４の底面と接触するように引き回されている
高圧管１１ａの配置空間の高さ）以上の高さの仕切り板１４ｅを設けて、その仕切り板１４ｅで蒸発皿１４を、圧縮機１１の高圧管１１ａが配置する第一蒸発室１４ｇと、蒸発紙１４ｂを配置する第二蒸発室１４ｈとに仕切っている。
【００７２】
上記構成では、第一蒸発室１４ｇの結露水（ドレン水）が仕切り板１４ｅの高さを超えるまでは、第二蒸発室１４ｈへの第一蒸発室１４ｇからの結露水（ドレン水）の流入はなく、仕切り板１４ｅの高さを超える第一蒸発室１４ｇの結露水（ドレン水）が第二蒸発室１４ｈに流れることになる。
【００７３】
本実施の形態では、第一蒸発室１４ｇと第二蒸発室１４ｈの底面位置を同一したままで、所定高さ（蒸発皿１４の底面と接触するように引き回されている高圧管１１ａの配置空間の高さ）以上の高さの仕切り板１４ｅを設けるだけで済み、蒸発皿１４の一部を上げ底にしない分だけ、蒸発皿１４の結露水（ドレン水）の保有水量を、実施の形態１よりも増やすことができる。
【００７４】
かかることにより、貯蔵室２内に野菜等の水分を多く含んだものを収納され、結露水（ドレン水）が多量に蒸発皿１４へ流入した場合でも、結露水（ドレン水）の保有水量に余裕があるため、ドレンホースを必要とせず、冷却ユニット５内部で結露水（ドレン水）を蒸発することができる。
【００７５】
（実施の形態３）
図５は、本発明の実施の形態３における物品貯蔵装置の蒸発皿の構成を示す斜視図である。本実施の形態は、実施の形態１または実施の形態２と蒸発皿１４の構成が異なるだけであり、本実施の形態において実施の形態１または実施の形態２と同一構成については同一符号を付して、その詳細な説明は省略する。
【００７６】
図５に示すように、本実施の形態では、蒸発皿１４に緊急用の溢水管１４ａにつながる第三蒸発室１４ｆを配置し、冷却ユニット５のユニットベース底面近傍に溢水管１４ａを配置している。
【００７７】
上記構成により、蒸発皿１４の材質が樹脂などの場合でも、冷却ユニット５の外郭面が金属で覆われ、ねずみかじりによる庫内への侵入を防ぐことができる。
【００７８】
（実施の形態４）
本発明の実施の形態４における物品貯蔵装置は、実施の形態１から３のいずれかの構成に加えて、除霜時に凝縮器１２用の送風機１３の運転を所定時間継続するように構成したものであり、上記構成により、最も結露水（ドレン水）の流入しやすい除霜運転中に、蒸発皿１４に溜まったドレン水を、自然蒸発に加えて、凝縮器１２用の送風機１３の送風により積極的に蒸発促進をすることができる。
【産業上の利用可能性】
【００７９】
本発明にかかる物品貯蔵装置は、低コストで、ドレン蒸発性能を良化することができ、穀物等の農産物貯蔵に限るものではなく、除湿・乾燥・恒温管理を必要とする物品貯蔵装置として幅広く利用することができるものである。
【符号の説明】
【００８０】
１      貯蔵庫
１１    圧縮機
１１ａ  高圧管
１２    凝縮器
１３    送風機
１４    蒸発皿
１４ｂ  蒸発紙
１４ｃ  スペース
１４ｄ  スペース
１４ｅ  仕切り板
１４ｇ  第一蒸発室
１４ｈ  第二蒸発室
１５    蒸発器
１７    ドレン皿
【図１】
2012149841.tif 000003
【図２】
2012149841.tif 000004
【図３】
2012149841.tif 000005
【図４】
2012149841.tif 000006
【図５】
2012149841.tif 000007
【図６】
2012149841.tif 000008
【図７】
2012149841.tif 000009